(57)【要約】【課題】  ディスク回転時における手に感じる振動を低減する。【解決手段】  ターンテーブル８４のフリクションシート８４ａの内側に、おもり７９の載置部８４ｂ-1，８４ｂ-1，・・・を複数円状に並べて設け、この複数の載置部８４ｂ-1，８４ｂ-1，・・・の適宜位置におもり７９を装着して、回転駆動されるときの動的バランスを調整しておき、ディスク２を３つの係合爪９４，９４，９４とガタ寄せ爪９６とでガタなく一方向に寄せて把持して回転駆動するようにした。【選択図】        図２
2005228375.tif 000002
【特許請求の範囲】
【請求項１】
ターンテーブルに搭載されたディスクを回転駆動するディスクドライブ装置において、
前記ターンテーブルの回転軸の周りに複数のおもり載置部を配設し、
前記ターンテーブルの動的バランスをとるように前記おもり載置部におもりを装着した
ことを特徴とするディスクドライブ装置。
【請求項２】
請求項１に記載のディスクドライブ装置において、
前記複数のおもり載置部を、
前記ターンテーブルの前記回転軸を中心とする円状に配設した
ことを特徴とするディスクドライブ装置。
【請求項３】
請求項１又は２に記載のディスクドライブ装置において、
前記複数のおもり載置部を、前記ターンテーブル上面に配設した
ことを特徴とするディスクドライブ装置。
【請求項４】
ディスクが搭載されるターンテーブルと、該ターンテーブルの中心に配設され、前記ディスクのセンターホールをクランプする出入自在の複数の保持部材と、前記センターホールを半径方向外側の一方向に寄せる、ガタ寄せ部材とを有するディスクチャック装置と、
該ディスクチャック装置を回転駆動するモータとから構成されるディスクドライブ装置において、
前記ターンテーブルの回転軸の周りに複数のおもり載置部を配設し、
前記ターンテーブルの動的バランスをとるように前記載置部におもりを装着した
ことを特徴とするディスクドライブ装置。
【請求項５】
請求項４に記載のディスクドライブ装置において、
前記複数のおもり載置部を、
前記ターンテーブルの前記回転軸を中心とする円状に配設した
ことを特徴とするディスクドライブ装置。
【請求項６】
請求項４又は５に記載のディスクドライブ装置において、
前記複数のおもり載置部を、前記ターンテーブル上面に配設した
ことを特徴とするディスクドライブ装置。
【請求項７】
請求項４乃至６の何れかに記載のディスクドライブ装置において、
前記ディスクチャック装置の回転中心に対して前記ガタ寄せ爪の反対側の側面に２つの膨出部を、前記ガタ寄せ爪の中心を２等辺三角形の頂点としたとき、前記２つの膨出部で２等辺三角形の底辺を構成するように設け、
前記膨出部の高さを、２枚張り合わせの前記ディスクのうちの前記ターンテーブル側の前記センターホールと係合するようにし、
前記２つの膨出部方向が予め重くなるように構成した
ことを特徴とするディスクドライブ装置。
【発明の詳細な説明】
【技術分野】
【０００１】
本発明は、ＣＤ（Compact  Disc）やＤＶＤ（Digital Versatile Disc）などのディスク状記録媒体を用いた記録及び／又は再生装置に用いられ、このディスク状記録媒体を回転駆動するディスクドライブ装置に関する。
【背景技術】
【０００２】
従来の光ディスクを用いた光ディスク付きビデオカメラ（撮像装置）には、図８に示すようなものがある。図８は、光ディスク付きビデオカメラ（撮像装置）の外観斜視図である。この撮像装置１は、ＤＶＤ用のディスクを、カートリッジを介することなく裸のまま手で撮像装置に装着することができ、このディスクにビデオ映像、音声などを記録したり、付属の液晶表示モニタやビューファインダあるいは外部の機器に接続して予め記録されているディスクの映像などを再生して撮影画像を確認できるようになされている。
【０００３】
以下、撮像装置１を図８〜図１６を参照して説明する。
【０００４】
図８に示す撮像装置１は、情報記憶メディアであるディスク状記録媒体の一具体例としてＤＶＤ（Digital Versatile Disc）を使用し、光学的な画像をＣＣＤ（固体撮像素子）で電気的な信号に変換してＤＶＤに記録したり液晶モニタ等の表示装置に表示したりできるようにしたもの（以下「ディスク式撮像装置」という。）である。
【０００５】
このディスク式撮像装置１は、着脱自在に装着されるディスク２を回転駆動して情報信号の記録（書き込み）及び再生（読み出し）を行うディスクドライブ装置３（図１１及び図１２参照）と、このディスクドライブ装置３の駆動制御等を行う制御回路が設けられたプリント基板４Ａ，４Ｂ，４Ｃ（図１１参照）と、被写体の像を光として取り込んでＣＣＤ５に導くレンズ装置６（図８〜図１０参照）と、これらディスクドライブ装置３等が収納される外装ケース７（図９及び図１１参照）と、この外装ケース７に回動自在に取り付けられてディスク収納室８を開閉可能に覆うことができるディスク蓋９（図８，図９及び図１１参照）と、外装ケース７の内部を２つの室に仕切る仕切り壁１０（図１１参照）等を備えて構成されている。
【０００６】
外装ケース７は、図１１に示すように、ディスクドライブ装置３等を両側から挟むように組み合わされるディスク側パネル１２及び基板側パネル１３と、レンズ装置６の光軸方向の前後に配置されて両パネル１２，１３と組み合わされるフロントパネル１４（図９参照）及びリアパネル１５（図８参照）とからなり、これらによって中空の筐体が構成されている。
レンズ装置６は、図９に示すように、外装ケース７の上部に固定されていて、その対物レンズ１６がフロントパネル１４の上部を前方に貫通して前面に露出されている。外装ケース７の内部において、レンズ装置６の後方に不図示のＣＣＤが配置されており、そのＣＣＤの後方にビューファインダ１７が配置されている。
【０００７】
ビューファインダ１７は、図９に示すように、外装ケース７の上部に露出されていて、前側を回動中心として後部を上下方向へ回動可能に構成されている。これによりビューファインダ１７は、レンズ装置６の光軸と平行をなす水平状態から、後部を上方へ持ち上げた上向き状態まで所定角度範囲内で任意角度に角度調節可能とされている。さらに、外装ケース７の上部には、ビデオライトや外付けマイクロホン等が着脱自在に装着されるアクセサリーシュー１８がビューファインダ１７の前側に取り付けられている。そして、フロントパネル１４のレンズ装置６の下側にはステレオ方式のマイクロホン２０が内蔵されている。
【０００８】
外装ケース７のリアパネル１５の略中央部には、図８に示すように、電源バッテリー２１が着脱自在に装着されるバッテリー収納部２２が設けられている。バッテリー収納部２２は外装ケース７の上面及び背面に開口されていて、電源バッテリー２１は後方斜め上方から差し込み及び取り出し可能とされている。さらに、リアパネル１５には、吊り下げ用ストラップのための２個の取付金具２５が設けられている。２個の取付金具２５のうち、一方の取付金具２５は右サイドの上部に配置され、他方の取付金具２５は左サイドの下部に配置されている。
【０００９】
外装ケース７の基板側パネル１３には、図１０に示すように、表示装置２７が姿勢変更可能に取り付けられている。表示装置２７は、平板状の液晶モニタ２８と、この液晶モニタ２８が収納されたパネルケース２９と、このパネルケース２９を外装ケース７に対して姿勢変更可能に支持するパネル支持機構３０とから構成されている。
【００１０】
パネル支持機構３０は、垂直軸を回動中心としてパネルケース２９を水平方向に略９０度回動可能とした水平回動機能と、水平軸を回動中心としてパネルケース２９を前後方向に略１８０度回動可能とした前後回動機能とを有している。これにより表示装置２７は、収納状態と、図１０に示すパネルケース２９を９０度回動させて液晶モニタ２８を後方へ対向させた状態と、図１０の状態からパネルケース２９を１８０度回動させて液晶モニタ２８を前方へ対向させた状態とを選択的に取ることができる。
【００１１】
さらに、基板側パネル１３には、図１０に示すように、パネルケース２９によって開閉自在に覆われる多数の操作ボタンからなる内側操作部３２と、パネルケース２９の上方に配された多数の操作ボタンからなる外側上操作部３３と、パネルケース２９の前方に配された複数の操作ボタンや操作ダイヤルからなる外側前操作部３４が設けられている。
【００１２】
図９に示すように、外装ケース７のディスク側パネル１２には、ディスクドライブ装置３の一部を露出させるための開口部からなるディスク収納室８が設けられている。このディスク収納室８の略中央部にはディスクドライブ装置３のテーブル回転装置８２が配置され、その状態でディスクドライブ装置３が外装ケース７に支持されている。このディスク収納室８はディスク蓋９によって開閉可能に構成されている。
【００１３】
ディスク蓋９は、図９に示すように、ディスク収納室８の形状に見合う形状とされていて、ディスク収納室８の平面側を覆う平面部９ａと、この平面部９ａの一部に連続してディスク収納室８の側面切欠き部を覆う側面部９ｂを有している。さらに、ディスク蓋９の下端両側部には一対の軸受部９ｃ，９ｃが設けられており、これらの軸受部９ｃ，９ｃには支持軸３８が回動自在に挿通されている。支持軸３８の両端は各軸受部９ｃから外側に突出されていて、それらの突出端がディスク側パネル１２に固定されている。これによりディスク蓋９が、支持軸３８を介してディスク側パネル１２に回動自在に支持されている。
【００１４】
また、支持軸３８には捩りバネ３９が装着されており、捩りバネ３９の一端のバネ片はディスク蓋９に係止され、他端のバネ片はディスク側パネル１２に係止されている。これによりディスク蓋９は、捩りバネ３９のバネ力によってディスク収納室８を開放する方向に常時付勢されている。さらに、ディスク蓋９とディスク側パネル１２との間には、ディスク蓋９の開放量を制限するリンク機構４０が掛け渡されている。リンク機構４０は、ディスク蓋９に回動自在に支持された蓋側リンク４１と、ディスク側パネル１２に回動自在に支持されたパネル側リンク４２とからなり、両リンク４１，４２の先端部は互いに回動自在に連結されている。
【００１５】
ディスク蓋９は、図９に示すように、支持軸３８から最も離れた部分に配設された蓋ロック装置４４により、ディスク収納室８を閉じた状態においてロックできるように構成されている。この蓋ロック装置４４は、ディスク蓋９に固定された不図示のロック部材と、ディスク側パネル１２にスライドできるように取り付けられた操作部材５１及びスライド部材等を備えて構成されている。ロック部材にはロック爪が設けられている一方、スライド部材にはロック爪に係合する爪ストッパが設けられている。スライド部材の爪ストッパは、バネ部材のバネ力によってロック爪の移動軌跡上に配置されている。
【００１６】
かくして、ディスク蓋９をディスク側パネル１２側に押し付けることにより、爪ストッパに係合されるロック爪がバネ部材のバネ力に抗してスライド部材を後退させる。その結果、爪ストッパがロック爪を乗り越え、爪ストッパとロック爪が互いに係合される。これにより、ディスク収納室８がディスク蓋９によって閉じられ、ディスク蓋９がディスク側パネル１２にロックされる。このロックの解除は、バネ部材のバネ力に抗して操作部材５１をロック解除方向へスライド動作させることによって行うことができる。
【００１７】
また、ディスク側パネル１２には、図８及び図９にしめすように、ディスク蓋９を囲うようにハンドストラップ６０が取り付けられている。ハンドストラップ６０は、外装ケース７の把持部とされたディスク蓋９部分を把持するユーザーの手の部分を支えて、ディスク式撮像装置１の取り落とし等を防止するものである。
【００１８】
このハンドストラップ６０は、両端がディスク側パネル１２に固定された支持ベルト６１と、この支持ベルト６１に装着されてユーザーの手の甲部分に当接される保護パッド６２から構成されている。支持ベルト６１の一端はディスク側パネル１２の前側下部に固定された取付金具６３に固定され、他端はディスク側パネル１２の後側中途部に設けた貫通穴から内側に挿入されて、その内部に設けられた取付金具に固定されている。
【００１９】
図８に示すように、ディスク側パネル１２の後側中途部には、電源スイッチ６４と録画ボタン６５とモード切換ダイヤル６６が配置されている。そして、ディスク側パネル１２の後側上部には、シャッタボタン６７とズームレバー６８が配置されている。
【００２０】
このような構成を有する外装ケース７の材料としては、例えば、ＡＢＳ（アクリロニトリル・ブタジエン・スチレン樹脂）が好適であるが、その他のエンジニアリングプラスチックを適用できることは勿論のこと、合成樹脂以外のアルミニウム合金等の金属を用いることもできる。
【００２１】
上述した外装ケース７の内部は、図１１に示すように、仕切り壁１０によって左右方向（レンズ装置６の光軸と交差する方向）に仕切られて、ディスクドライブ装置３側の第１の室７２とプリント基板４Ａ，４Ｂ，４Ｃ側の第２の室７３が設けられている。仕切り壁１０は、板状の部材で形成されていて、外装ケース７の内部にネジ等の固着手段によって締付固定されている。この仕切り壁１０はフレームの役割をなすもので、一面側にはディスクドライブ装置３を支持するための支持突起７４が複数個設けられ、他面側にはプリント基板４Ａ等を支持するための支持片７５が多数個設けられている。
【００２２】
さらに、仕切り壁１０には、重量を軽くするための不図示の開口部や切欠きが複数箇所に設けられている。仕切り壁１０の材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。なお、開口部及び切欠きの大部分は、第１の室７２と第２の室７３間を仕切って熱が伝わり難い構造とするため、絶縁板１１によって塞がれている。
【００２３】
すなわち、仕切り壁１０の一面には、図１２において格子模様で示すように、仕切り壁１０の略全体を覆うように所定の形状及び構造を有する絶縁板１１が重ね合わされて、一体に構成されている。この絶縁板１１の仕切り壁１０への固定は、ネジあるいは接着剤で行われる。絶縁板１１の材料としては、例えば軽くて絶縁性のあるＡＢＳ樹脂などが用いられる。
【００２４】
仕切り壁１０の絶縁板１１が重ね合わされた面には、図１１に示すように、弾性体からなるインシュレータ７７を介してディスクドライブ装置３が弾性的に支持されている。インシュレータ７７は、円筒状に形成されたゴム状弾性体からなり、その外周面の軸方向中途部には周方向に連続する環状溝７７ａが設けられている。
【００２５】
このインシュレータ７７の所定個数が、図１２に示すように、ディスクドライブ装置３の導体からなるメカシャーシ８０の４箇所のインシュレータ受け部８０ａやインシュレータ受け片８０ｂに設けた切欠き穴に、それぞれ環状溝７７ａを嵌合させることによって装着されている。そして、これら４個のインシュレータ７７が、仕切り壁１０の一面に突設された４個の支持ピン７４にそれぞれ嵌合されている。
各支持ピン７４は、インシュレータ７７と同程度の直径を有する支持部７４ａと、この支持部７４ａの中央部に突出された突起部７４ｂとからなり、仕切り壁１０にそれぞれカシメ等の固着手段により固定されている。
【００２６】
この支持ピン７４の突起部７４ｂにインシュレータ７７の中央穴を嵌合することにより、４個のインシュレータ７７が支持ピン７４にそれぞれ装着されている。そして、各支持ピン７４の突起部７４ｂ先端に螺合される取付ネジ７８により、それぞれのインシュレータ７７の脱落が防止されている。このようなインシュレータ７７を介して仕切り壁１０に弾性支持されたメカシャーシ８０は、十分に大きな強度を有する枠状の部材によって構成されている。そして、仕切り壁１０とメカシャーシ８０とは、電気の伝導性に優れた図示しないアース部材によって互いに導通されている。
【００２７】
また、メカシャーシ８０には、図１１及び図１２に示すように、ディスク２が着脱自在に装着されるテーブル回転装置８２と、光学ピックアップ装置８６が搭載されている。テーブル回転装置８２は、メカシャーシ８０に設けられるサブメカシャーシ８１に固定されたスピンドルモータ８３と、このスピンドルモータ８３の回転部に固定されたディスクチャック装置から構成されている。
【００２８】
図１３は、テーブル回転装置８２の側断面図を示している。図１３に示すように、スピンドルモータ８３の回転体となるロータ８３ｂは、純鉄などの板金を逆カップ状にプレス成形したあと、さらに底の中心部を外側に膨らませるように成形され、底に段差８３ｃが設けられる。それから、逆カップ状のロータ８３ｂの上部（逆カップの底）にターンテーブル８４とチャック８５からなるディスクチャック装置が設けられる。
ロータ８３ｂの中心にロータボス５４との固定用の孔を形成し、カップ底部の周辺にターンテーブル８４との固定用の孔を形成する。そして、ロータ８３ｂに対して、ターンテーブル８４とロータボス５４とがプラスチックの射出成形などによって一体に成形される。
【００２９】
ロータボス５４は、図１３に示すように、中心に回転軸８３ａを圧入固定する孔を有する円筒を上方に突出するように形成し、ロータ８３ｂのカップの中心孔とロータボス５４の下部で固定され、上部で後述のチャック８５と嵌合するようになされる。このとき、ロータ８３ｂの逆カップの底面に対してロータボス５４の中心に設けられる孔の中心軸が垂直となるように位置決めされている。
【００３０】
ターンテーブル８４は、図１３及び図１４に示すように、大きな座金状の円環で厚さがロータ８３ｂの底に設けられた段差８３ｃと略同じになるように形成されている。また、ターンテーブル８４の肉厚のばらつきを小さくし、重心が回転中心から外れないように形成される。
なお、ゴムやエラストマなどの摩擦係数の大きい材質でできたフリクションシート８４ａが、その摩擦抵抗を大きくした側を上にしてターンテーブル８４の円環の外周辺に接着固定される。ここでフリクションシートと記載したが、別にシートである必要はなく、フリクション駆動部と表現してもよいのは勿論である。
また、逆カップ状のロータ８３ｂの内側下縁に複数のロータマグネット５７が設けられている。
【００３１】
それから、サブメカシャーシ８１に組み付けられたロータ８３ｂのロータボス５４の円筒に、ディスク２をチャッキングするためのチャック８５が設けられる。
チャック８５は、略円板状の外形を有し、ディスク２のセンターホール２ａが嵌合されチャックベース８５ａと、ディスク２を保持する３つの係合爪９４，９４，９４と、１つのガタ寄せ爪９６などから構成される。
【００３２】
以下、チャックベース８５ａについて図１３〜図１６を参照して説明する。
なお、図１４は、図１３に示すテーブル回転装置８２のロータ８３ｂを斜め上方から見てターンテーブル８４とチャック８５からなるディスクチャック装置の外観を示している。
チャックベース８５ａは、プラスチック成型などで形成され、円板状に形成されるチャックベース８５ａの上面８５ａ-1の略中央には、図１３に示すように、ロータボス５４を圧入固定するための孔８５ｂが設けられ、この孔８５ｂの上面８５ａ-1の周縁に円状に突出した部分、すなわち突部８５ａ-2が設けられる。
【００３３】
そして、図１４に示すように、ディスク２を把持するための３つの係合爪９４，９４，９４を摺動自在とするための摺動ガイド８５ａ-3が、この円状の突起８５ａ-2の周辺から３方に１２０°のピッチで、高さを突起８５ａ-2と略同じにして設けられる。また、この円状の突起８５ａ-2の周辺から半径方向外側で、孔８５ｂの中心に対して係合爪９４の摺動ガイド８５ａ-3から６０°の箇所に、ガタ寄せ爪９６を摺動自在とするための１つの摺動溝８５ａ-4が設けられる。
【００３４】
ディスク２を把持するためにチャックベース８５ａ上で３方向に設けられる係合爪９４は、前上方からの斜視図１５Ａ，後上方からの図１５Ｂ，側面図の図１５Ｃに示すように、チャックベース８５ａの摺動ガイド８５ａ-3と摺動自在に係合する頭部９４ａと、チャックベース８５ａ内に設けられる不図示の摺動面と係合するスライダー９４ｂと、第１の圧縮コイルバネ９５を組み込むための円柱状の突起９４ｃからなる。
【００３５】
そして、ディスク２が係合爪９４で把持されるとき、図１５Ａ及びＣに示す係合爪９４の先端面９４ａ-1の下辺９４ａ-5がディスク２の上面となるような寸法に作製され、面９４ａ-3の楔効果でターンテーブル８４のフリクションシート８４ａに密着させて、確実な把持がなされるようにしている。
なお、係合爪９４の頭部９４ａの傾斜面９４ａ-2は、ディスク２を手で装着するときに、第１の圧縮コイルバネ９５に抗して係合爪９４が滑らかに後退するような傾斜角度とされる。また、先端面９４ａ-1の突き出し量は、ディスク２が正規位置に組み込まれたとき確実な把持を維持できるように決められる。
【００３６】
また、ガタ寄せ爪９６が、ディスク２のセンターホール２ａとチャックベース８５ａとのがた（遊び）がないように把持するためにチャック８５に設けられているが、このガタ寄せ爪９６は、図１６Ａ〜Ｃに示すように、チャックベース８５ａの摺動溝８５ａ-4と摺動自在に係合する頭部９６ａと、チャックベース８５ａ内に設けられる不図示の摺動面と係合するスライダー９６ｂと、第２の圧縮コイルバネ９７を組み込むための円柱状の突起９６ｃから形成されている。
【００３７】
このとき、図１６Ａ及びＣに示すガタ寄せ爪９６の先端面９６ａ-1の平面が、ディスク２のセンターホール２ａの内周面の下半分の第１層ディスク２-1（図１３参照）に当接する寸法に作製される。すなわち、ガタ寄せ爪９６の頭部９６ａは、傾斜面９６ａ-2と先端面９６ａ-1の境界の辺９６ａ-4が、ディスク２の第１層ディスク２-1のセンターホールの内周面に配置されるような寸法に作製される。
これは、ディスク式撮像装置１で使用するＤＶＤ用のディスク２が、センターホールが形成された第１層ディスク２-1と第２層ディスク２-2が２枚張り合わせて構成されるものであり、張り合わせの際にセンターホール２ａの合わせずれがどうしても生じてしまうため、記録再生面となるターンテーブル８４側のディスク面である第１層ディスク２-1のセンターホールを基準にガタ寄せを行うためである（図１３参照）。
【００３８】
また、チャックベース８５ａの３つの摺動ガイド８５ａ-3，８５ａ-3，８５ａ-3に係合爪９４，９４，９４が設けられ、後方の突起９４ｃ，９４ｃ，９４ｃに組み込んだ第１の圧縮コイルバネ９５，９５，９５によって係合爪９４，９４，９４が半径方向外側へ付勢される。
また、１つの摺動溝８５ａ-4にガタ寄せ爪９６が設けられ、後方の突起９６ｃに組み込んだ第２の圧縮コイルバネ９７によってガタ寄せ爪９６が半径方向外側へ付勢される。
なお、第２の圧縮コイルバネ９７は、第１の圧縮コイルバネ９５よりも大きなバネの付勢力をもつように設定されている。
【００３９】
このようにターンテーブル８４とチャック８５から構成されるディスクチャック装置では、チャックベース８５ａの３つの摺動ガイド８５ａ−３に設けられる係合爪９４，９４，９４は、ディスク２のセンターホール２ａの内周縁部に係合してディスク２をターンテーブル８４のフリクションシート８４ａとの間で保持する。そして、係合爪９４，９４，９４は、第１の圧縮コイルバネ９５，９５，９５によって半径方向外側へ付勢されており、この第１の圧縮コイルバネ９５のバネ力に抗して係合爪９４を後退させることにより、チャックベース８５ａに対するディスク２の着脱作業ができるようになされる。
【００４０】
また、チャックベース８５ａのガタ寄せ爪９６が、図１３及び図１４に示すように、ディスク２のセンターホール２ａの内周面で第２の圧縮コイルバネ９７によって半径方向外側に付勢されて、ガタがないようにしている。
このように構成することにより、３つの係合爪９４，９４，９４で、ディスク２のセンターホール２ａを把持し、ガタ寄せ爪９６でセンターホール２ａの内周面がチャックベース８５ａの側面に確実に当接するようになされ、ガタを生じることなくディスク２を回転できるようにしている。
【００４１】
そして、ロータ８３ｂがステータ５５に組み込まれる。
すなわち、サブメカシャーシ８１に立設されている回転軸８３ａ側には複数のステータ５５及びホール素子５８設けられる。そして、ロータ８３ｂのロータボス５４の中心孔をスピンドルモータ８３の回転軸８３ａに圧入してテーブル回転装置８２（図１３参照）が組み立てられる。
このとき、サブメカシャーシ８１の面に対して回転軸８３ａが垂直に立設され、このサブメカシャーシ８１の面と平行にディスク２の載置部となるターンテーブル８４に装着されたフリクションシート８４ａの面が配置されている。
なお、ホール素子５８はロータ８３ｂのロータマグネット５７と対向する位置に設けられる。
【００４２】
このように構成されたテーブル回転装置８２は、ディスク２を、３つの係合爪９４，９４，９４で把持し、ガタ寄せ爪９６でディスク２のセンターホール２ａを一方向にガタを生じないように付勢した状態で、スピンドルモータ８３により回転駆動されている。
なお、このとき、複数のホール素子５８を磁極センサに用いてロータマグネット５７がどの位置にあるのかを検知し、この信号をもとに電子回路を制御して、回転軸８３ａの周辺に配されるステータ５５に回転磁界を発生させ、高い回転性能と長寿命をもたせるようにしている。
そして、この回転テーブル装置８２がサブメカシャーシ８１を介してメカシャーシ８０に組み込まれてディスクドライブ装置３が構成されている。
【００４３】
また、従来のＣＤあるいはＤＶＤなどのディスク状記録媒体を回転駆動するディスクドライブ装置には特許文献１に開示されているものがある。
特許文献１には、スピンドルモータのロータ部とともに回転する環状の空間内にバランス部材を配設したディスクドライブ装置が開示されている。このテーブル回転装置では、ターンテーブルが設けられるスピンドルモータのロータ部とともに回転する環状の空間内にバランス部材を配設して、ロータ部及びディスク状記録媒体を含む回転体のアンバランスをキャンセルさせるようにし、重心が中心に位置していない光ディスクを高速で回転させたときに、それによって発生する振動がディスクドライブ装置の外部に伝わることを防止するようにしている。
【特許文献１】特開２０００−１２９５８１５号公報（第２頁、図２）
【発明の開示】
【発明が解決しようとする課題】
【００４４】
しかしながら、図８例のディスク式ビデオカメラ（撮像装置）１では、ディスク２を回転駆動するスピンドルモータ８３の回転数がそれほど大きくないため、ディスク２の回転によって人間の手に感じる振動も小さいが、高精細な圧縮率の低い映像をディスク２に記録しようとすると、スピンドルの回転数を大きくすることが必要となり、手に感じる振動も無視できなくなる。
これは、高精細な圧縮率の低い映像では単位時間あたりの記録データ量が多くなるため、回転によるディスク２の線速度を大きくするなどして転送レートを上げて記録密度を向上させることが必要となり、例えば、回転数を２倍，４倍にするとディスクの回転中の手に感じる振動は４倍，１６倍と２乗で効いて大きくなる。
一方、ビデオカメラ（撮像装置）自体は、扱い易さから小さく軽いものが求められているため、手に感じる振動も大きくなり、ディスク式ビデオカメラの製品価値は大きく損なわれるおそれがあった。
【００４５】
また、特許文献１に開示されているディスクドライブ装置では、定常動作までの立ち上がりと停止時にバランス部材（鋼球）により発生するノイズとバランス部材（鋼球）同士の衝突現象が発生し、ディスク式ビデオカメラへの採用には不都合であった。
【００４６】
本発明はかかる点に鑑み、ディスク状記録媒体（ディスク）を用いたディスク記録及び／又は再生装置において、このディスクの回転駆動における振動を大幅に低減できるようなディスクドライブ装置を提供することを目的とする。
【課題を解決するための手段】
【００４７】
上記課題を解決し本発明の目的を達成するため、本発明のディスクドライブ装置は、ターンテーブルに搭載されたディスクを回転駆動するディスクドライブ装置において、このターンテーブルの回転軸の周りに複数のおもり載置部を配設し、ターンテーブルの動的バランスをとるようにおもり載置部におもりを装着したものである。
【００４８】
このように構成したディスクドライブ装置によれば、ディスクの回転中の動的バランスをとることができ、ディスクの回転駆動に伴う振動を大幅に低減できる。
【００４９】
また、本発明は、上記記載のディスクドライブ装置において、複数のおもり載置部を、ターンテーブルの回転軸を中心とする円状に配設したものである。
【００５０】
このように構成したディスクドライブ装置によれば、ターンテーブルの重心がどのようにずれていても１個ないし複数個のおもりを載置部に装着して、ディスクの回転における動的バランスをとることができる。
【００５１】
また、本発明は、上記記載のディスクドライブ装置において、複数のおもり載置部を、ターンテーブル上面に配設したものである。
【００５２】
このように構成したディスクドライブ装置によれば、ターンテーブルのおもり載置部におもりが装着されているのを見て、ディスク回転における振動低減のための調整が行われたことを容易に確認できる。
【００５３】
また、本発明のディスクドライブ装置は、ディスクが搭載されるターンテーブルと、このターンテーブルの中心に配設され、ディスクのセンターホールをクランプする出入自在の複数の保持部材と、センターホールを半径方向外側の一方向に寄せる、ガタ寄せ部材とを有するディスクチャック装置と、このディスクチャック装置を回転駆動するモータとから構成されるディスクドライブ装置において、このターンテーブルの回転軸の周りに複数のおもり載置部を配設し、ターンテーブルの動的バランスをとるように載置部におもりを装着したものである。
【００５４】
このように構成したディスクドライブ装置によれば、保持部材とガタ寄せ部材で一方に寄せて把持されているディスクの回転中の動的バランスをとることができ、ディスクの回転駆動に伴う振動を大幅に低減できる。
【００５５】
また、本発明は、上記記載のディスクドライブ装置において、複数のおもり載置部を、ターンテーブルの回転軸を中心とする円状に配設したものである。
【００５６】
また、本発明は、上記記載のディスクドライブ装置において、複数のおもり載置部を、ターンテーブル上面に配設したものである。
【００５７】
さらに、本発明は、上記記載のディスクドライブ装置において、このディスクチャック装置の回転中心に対してガタ寄せ爪の反対側の側面に２つの膨出部を、ガタ寄せ爪の中心を２等辺三角形の頂点としたとき、２つの膨出部で２等辺三角形の底辺を構成するように設け、膨出部の高さを、２枚張り合わせのディスクのうちのターンテーブル側のセンターホールと係合するようにし、２つの膨出部近傍のターンテーブルの上面に別のおもりを予め装着しておいたものである。すなわち、２つの膨出部方向が予め重くなるように構成したものである。
【００５８】
このように構成したディスクドライブ装置によれば、ディスクは、ディスクの重心が、常にガタ寄せ爪の中心を通る２つの膨出部の垂直２等分線上で、チャック中心に対してガタ寄せ爪の側になるように把持され、このディスクの重心ずれを見こして別のおもりが設けられ、回転軸周りの載置部に適宜装着されるおもりとの相補効果で、ディスクを装着後の動的バランスを改善し、ディスクの回転駆動による振動を大幅に低減できる。
【発明の効果】
【００５９】
本発明のディスクドライブ装置によれば、ディスクが回転駆動されているときに発生する手に伝わる振動を大幅に低減できるとともに、ディスクをターンテーブルに装着する際に、ターンテーブルにおもりが装着されており動的バランスが既に調整されていることが外部から見えるので、この振動の抑制調整がされたことを目で容易に確認できる。
【発明を実施するための最良の形態】
【００６０】
以下、本発明のディスクドライブ装置を実施するための最良の形態の例を図１〜図６を参照して説明する。
本例のディスクドライブ装置３は、従来の図８〜図１２例と同様に、ＤＶＤ用のディスク２を用いるディスク式撮像装置１の外装ケース７内に支持され、テーブル回転装置８２がサブメカシャーシ８１を介してメカシャーシ８０に組み込まれたものである。
そして、テーブル回転装置８２は、スピンドルモータ８３とディスクチャック装置から構成される。
なお、ディスクチャック装置は、スピンドルモータ８３のロータ８３ｂ上に形成されるターンテーブル８４とチャック８５からなっている。
【００６１】
本例のテーブル回転装置８２は、従来の図１３〜図１６例と同様に、３つの係合爪９４，９４，９４とガタ寄せ爪９６でディスク２がチャック８５の一方に寄せられて把持されている点は同じであるが、リング状のフリクションシート８４ａの内側のターンテーブル８４とチャック８５の間に、おもりを装着するための丸穴の載置部８４ｂ-1，８４ｂ-1，・・・がスピンドルモータ８３の回転軸８３ａを中心とする円の上に並べて設けられ、この載置部８４ｂ-1，８４ｂ-1，・・・の適宜位置におもり７９が装着されている点と、チャックベース８５ａの側面に２つの膨出部８５ａ-5，８５ａ-5が設けられている点が異なっている。
以下では、この図１〜図６を説明するに図８〜図１６に対応する部分には同一の符号を付し説明する。
【００６２】
図１は、テーブル回転装置８２の側断面図を示している。このテーブル回転装置８２は、図１１に示すように、メカシャーシ８０にサブメカシャーシ８１を介して固定されている。そして、テーブル回転装置８２は、このサブメカシャーシ８１に固定されたスピンドルモータ８３と、このスピンドルモータ８３の回転部に固定されたディスクチャック装置から構成されている。
【００６３】
図１に示すように、スピンドルモータ８３の回転体となるロータ８３ｂは、純鉄などの板金を逆カップ状にプレス成形したあと、さらに底の中心部を外側に膨らませるように成形され、底に段差８３ｃが設けられる。それから、逆カップ状のロータ８３ｂの上部（逆カップの底）にターンテーブル８４とチャック８５からなるディスクチャック装置が設けられる。
ロータ８３ｂの中心にロータボス５４を固定する孔を形成し、カップ底部の周辺にターンテーブル８４を固定する孔を形成する。そして、ロータ８３ｂに対して、ターンテーブル８４とロータボス５４とがプラスチックの射出成形などによって一体に成形される。
【００６４】
ロータボス５４は、図１に示すように、中心に回転軸８３ａを圧入固定する孔を有する円筒を上方に突出するように形成し、ロータ８３ｂのカップの中心孔とロータボス５４の下部で固定され、上部で後述のチャック８５と嵌合するようになされる。このとき、ロータ８３ｂの逆カップの底面に対してロータボス５４の中心に設けられる孔の中心軸が垂直となるように位置決めされている。
【００６５】
ターンテーブル８４は、図１及び図２に示すように、大きな座金状の円環で、座金の孔に近い内側の厚さがロータ８３ｂの底に設けられた段差８３ｃと略同じになるように面８４ｂが形成され、外側で僅か厚くなるように形成されている。そして、面８４ｂに、複数の丸穴のおもりの載置部８４ｂ-1，８４ｂ-1，・・・がスピンドルモータ８３の回転軸８３ａを中心とする円の上に並べて形成される。
なお、ゴムやエラストマなどの摩擦係数の大きい材質でできたフリクションシート８４ａが、その摩擦抵抗を大きくした側を上にしてターンテーブル８４の円環の外周辺に接着固定される。ここでフリクションシートと記載したが、別にシートである必要はなく、フリクション駆動部と表現してもよいのは勿論である。
また、逆カップ状のロータ８３ｂの内側下縁に複数のロータマグネット５７が設けられている。
【００６６】
そして、サブメカシャーシ８１に組み付けられたロータ８３ｂのロータボス５４の円筒に、ディスク２をチャッキングするためのチャック８５が設けられる。
チャック８５は、略円板状の外形を有し、ディスク２のセンターホール２ａが嵌合されチャックベース８５ａと、ディスク２を保持する３つの係合爪９４，９４，９４と、１つのガタ寄せ爪９６などから構成される。
【００６７】
以下、チャックベース８５ａについて図２及び図３を参照して説明する。
【００６８】
図２は、図１に示すテーブル回転装置８２を斜め上方から見た外観斜視図を示し、図３はチャックベース８５ａの形状の説明図である。
チャックベース８５ａは、プラスチック成型などで形成され、円板状に形成されるチャックベース８５ａの上面８５ａ-1の略中央には、図２に示すように、ロータボス５４を圧入固定するための孔８５ｂが設けられる。そして、この孔８５ｂの上面８５ａ-1の周縁に円状に突出した部分、すなわち突部８５ａ-2が設けられる。
【００６９】
また、図２に示すように、ディスク２を把持するための３つの係合爪９４，９４，９４を摺動自在とするための摺動ガイド８５ａ-3が、この円状の突起８５ａ-2の周辺から３方に１２０°のピッチで、高さを突起８５ａ-2と略同じにして設けられる。そして、この円状の突起８５ａ-2の周辺から半径方向外側で、孔８５ｂの中心に対して係合爪９４の摺動ガイド８５ａ-3から６０°の箇所に、ガタ寄せ爪９６を摺動自在とするための１つの摺動溝８５ａ-4が、設けられる。
【００７０】
また、図２に示すように、チャックベース８５ａの側面に２つの膨出部８５ａ-5，８５ａ-5が設けられる。ここで、図２に示すチャックベース８５ａ側面の1点鎖線８５ａ-6は、装着されたディスク２のセンターホール２ａの上縁辺（仮想線）を示しており、この膨出部８５ａ-5，８５ａ-5は、この１点鎖線８５ａ-6より下側に形成され、図１に示す２枚張り合わせのディスク２の下側の第１層ディスク２-1のセンターホールと係合するようになされる。
【００７１】
チャックベース８５ａの側面に設けられる２つの膨出部８５ａ-5，８５ａ-5について図３を参照して説明する。図３で、図３Ａはディスク２のセンターホール２ａとチャックベース８５ａとのガタがない状態、図３Ｂはセンターホール２ａの径が最大でチャックベース８５ａとのガタを生じた状態を示している。
【００７２】
図３Ａで、チャックベース８５ａと２つの膨出部８５ａ-5，８５ａ-5に外接している円Ｑは、例えば、Φ１５．００ｍｍの仮想のセンターホール２ａを示している。そして、図３Ａに示すように、本例のチャックベース８５ａ自体の径は、この円Ｑより小さく形成され、後述するガタ寄せを行うためのガタ寄せ爪９６による図の左への付勢方向とは反対側に２つの膨出部８５ａ-5，８５ａ-5が、ガタ寄せ爪９６とともに円Ｑに内接するように形成されている。
【００７３】
すなわち、この膨出部８５ａ-5，８５ａ-5は、ガタ寄せ爪９６とともにディスク２のターンテーブル８４側の第１層ディスク２-1のセンターホールの内周面に内接したとき、膨出部８５ａ-5，８５ａ-5の２つの接点とガタ寄せ爪９６の接点とで２等辺三角形をなすように設けられる。
そして、本例では、図３Ａ及びＢに示すチャックベース８５ａの中心となる円Ｑの中心Ｏが、スピンドルモータ８３の回転軸８３ａの中心と一致するように設けられる。
【００７４】
ディスク２を把持するためにチャックベース８５ａ上で３方向に設けられる係合爪９４は、既に図１５Ａ〜Ｃに基づいて説明したように、チャックベース８５ａの摺動ガイド８５ａ-3と摺動自在に係合する頭部９４ａと、チャックベース８５ａ内に設けられる不図示の摺動面と係合するスライダー９４ｂと、第１の圧縮コイルバネ９５を組み込むための円柱状の突起９４ｃからなる。
【００７５】
そして、ディスク２が係合爪９４で把持されるとき、図１５Ａ及びＣに示す係合爪９４の先端面９４ａ-1の下辺９４ａ-5がディスク２の上面となるような寸法に作製され、面９４ａ-3の楔効果でターンテーブル８４のフリクションシート８４ａに密着させて、確実な把持がなされるようにしている。
なお、係合爪９４の頭部９４ａの傾斜面９４ａ-2は、ディスク２を手で装着するときに、第１の圧縮コイルバネ９５に抗して係合爪９４が滑らかに後退するような傾斜角度とされる。また、先端面９４ａ-1の突き出し量は、ディスク２が正規位置に組み込まれたとき確実な把持を維持できるように決められる。
【００７６】
また、ガタ寄せ爪９６が、ディスク２のセンターホール２ａとチャックベース８５ａとのがた（遊び）がないように把持するためにチャック８５に設けられているが、このガタ寄せ爪９６は、図４Ａ〜Ｃに示すように、チャックベース８５ａの摺動溝８５ａ-4と摺動自在に係合する頭部９６ａと、チャックベース８５ａ内に設けられる不図示の摺動面と係合するスライダー９６ｂと、第２の圧縮コイルバネ９７を組み込むための円柱状の突起９６ｃから構成される。
ここで、ガタ寄せ爪９６の頭部９６ａに設けられる傾斜面９６ａ-2の角度θは、図４Ａ及びＣに示すように、チャックベース８５ａの上面８５ａ-1に対して、従来の図１６Ｃに示す角度θよりも大きくなるように形成されている。また、ガタ寄せ爪９６の頭部９６ａに設けられる先端面９６ａ-1の角度Φは、０〜１０°、好ましくは１°以下で形成される。
【００７７】
そして、図４Ａ及びＣに示すガタ寄せ爪９６の先端面９６ａ-1の平面が、ディスク２のセンターホール２ａの内周面に当接するとともに、先端の傾斜面９６ａ-2と先端面９６ａ-1の境界の辺９６ａ-4が、ディスク２の上面より上の位置になるような寸法に作製される。
すなわち、ガタ寄せ爪９６の頭部９６ａは、傾斜面９６ａ-2と先端面９６ａ-1の境界の辺９６ａ-4が、ディスク２の上に配置されるような寸法に作製される。これは、２枚張り合わせで形成されるＤＶＤ用のディスク２の張り合わせにおける第１層ディスク２-1と第２層ディスク２-2のそれぞれのセンターホールのずれの有無にかかわらず、ガタ寄せ爪９６に当接した箇所をもってガタ寄せするためである。
【００７８】
また、チャックベース８５ａの３つの摺動ガイド８５ａ-3，８５ａ-3，８５ａ-3に係合爪９４，９４，９４が設けられ、後方の突起９４ｃ，９４ｃ，９４ｃに組み込んだ第１の圧縮コイルバネ９５，９５，９５によって係合爪９４，９４，９４が半径方向外側へ付勢されている。
また、１つの摺動溝８５ａ-4にガタ寄せ爪９６が設けられ、後方の突起９６ｃに組み込んだ第２の圧縮コイルバネ９７によってガタ寄せ爪９６が半径方向外側へ付勢される。
なお、第２の圧縮コイルバネ９７は、第１の圧縮コイルバネ９５よりも大きなバネの付勢力をもつように設定されている。
【００７９】
このようにターンテーブル８４とチャック８５から構成されるディスクチャック装置において、チャックベース８５ａの３つの摺動ガイド８５ａ-3に設けられる係合爪９４，９４，９４が、ディスク２のセンターホール２ａの内周縁部に係合してディスク２をターンテーブル８４のフリクションシート８４ａとの間で保持している。そして、係合爪９４，９４，９４は、第１の圧縮コイルバネ９５，９５，９５によって半径方向外側へ付勢されており、この第１の圧縮コイルバネ９５のバネ力に抗して係合爪９４を後退させることにより、チャックベース８５ａに対するディスク２の着脱作業が行われる。
【００８０】
また、チャックベース８５ａのガタ寄せ爪９６が、図１及び図２に示すように、ディスク２のセンターホール２ａの内周面で２つの膨出部８５ａ-5，８５ａ-5とともに内接し、第２の圧縮コイルバネ９７によって半径方向外側で２等辺三角形の頂点方向に付勢されて、ガタがないようにしている。
ところで、従来は、複数の方向にそれぞれバネ力により外側に付勢された係合爪でディスク２を把持するものが一般的であったが、このような場合、一見均等にディスク２を回転軸８３ａの中心に対して割り出して把持しているようではあるものの、実際にはディスク２はフリクションシート８４ａ上に偏心して取り付けられ、このまま回転駆動すると動的バランスが十分取れていないため、振動が生じ易いものであった。
【００８１】
このように構成することにより、３つの係合爪９４，９４，９４でディスク２のセンターホール２ａを把持するとともに、チャックベース８５ａの側面の２つの膨出部８５ａ-5，８５ａ-5とガタ寄せ爪９６の計３点によって、センターホール２ａの内周面が常に同じ方向（ガタ寄せ爪９６が付勢される半径方向外側）に付勢され、ガタを生じないようにしている。
そして、ディスク２が回転中でも常に安定した記録及び／又は再生が行うことができるようにしている。
【００８２】
このように構成されたディスクチャック装置によれば、ディスク２を、３つの係合爪９４，９４，９４で把持し、ガタ寄せ爪９６とチャックベース８５ａに設けられる２つの膨出部８５ａ-5，８５ａ-5でディスク２のセンターホール２ａを常に所定の一方向（ガタ寄せ爪９６が第２の圧縮コイルバネ９７で付勢されている半径方向外側）にガタを生じないように付勢された状態で、スピンドルモータ８３により回転駆動することができる。
【００８３】
このようにスピンドルモータ８３のロータ上にターンテーブル８４とチャック８５が組み込まれたテーブル回転装置８２は、動的なバランス調整が行われる。この動的なバランス調整について、図５及び図６を参照して説明する。図４Ａは、テーブル回転装置８２の模式図であり、図５Ａは従来のバランス調整無し（図１４参照）、図５Ｂは本例のテーブル回転装置でおもり７９を装着する前、図５Ｃは本例のテーブル回転装置でおもり７９の装着後を示している。また、図６はバランス調整工程のフロー図である。
【００８４】
図６に示すように、先ず、ロータ８３ｂにターンテーブル８４とチャック８５が組み立てられた後、チャック８５の中心に設けられている孔８５ｂに不図示のバランス検査装置のシャフトを挿通する。そして、ディスク２をチャックした状態で回転駆動しロータ８３ｂの動的なバランスを検査する（図５Ｂ参照）。
このとき、ディスク２のセンターホール２ａ径が公差の最大と最小のもので検査され、ターンテーブル８４のおもり載置部８４ｂ-1のどの位置におもり７９を装着するのかが決められる。
そして、この結果に基づいて、図２及び図５Ｃに示すように、ターンテーブル８４のおもりの載置部８４ｂ-1，８４ｂ-1，・・・の適宜位置におもり７９が装着される。なお、このおもり７９は、黄銅などの金属で円柱状に加工され、丸穴の載置部８４ｂ-1に圧入などにより設けられる。
【００８５】
それから、再度バランス検査装置で動的なバランスを検査し、許容できる状態となるまで、以上の工程を繰り返したのち、ロータ８３ｂの動的なバランス調整が完了する。
そして、ロータ８３ｂがステータ５５に組み込まれる。
【００８６】
すなわち、サブメカシャーシ８１に立設されている回転軸８３ａ側には複数のステータ５５及びホール素子５８設けられる。そして、ロータ８３ｂのロータボス５４の中心孔をスピンドルモータ８３の回転軸８３ａに圧入してテーブル回転装置８２（図１参照）が組み立てられる。
このとき、サブメカシャーシ８１の面に対して回転軸８３ａが垂直に立設され、このサブメカシャーシ８１の面と平行にディスク２の載置部となるターンテーブル８４に装着されたフリクションシート８４ａの面が配置されている。
【００８７】
このようにチャック８５とフリクションシート８４ａとの間におもりの載置部８４ｂ-1を設けたので、従来使用されることのなかったフリクションシート８４ａとチャック８５の間のデッドスペースを有効に活用しておもり７９を装着できるようになり、ディスク２を載置するときに、おもり７９が装着されバランス調整がされていることが外部から見えることになる。
なお、ホール素子５８はロータ８３ｂのロータマグネット５７と対向する位置に設けられる。
【００８８】
このように構成されたテーブル回転装置８２は、ディスク２を、３つの係合爪９４，９４，９４で把持し、ガタ寄せ爪９６でディスク２のセンターホール２ａを一方向にガタを生じないように付勢し、ディスク２が把持されたときの動的なバランス調整がとれた状態で、ディスク２が回転駆動される。
なお、このとき、複数のホール素子５８を磁極センサに用いてロータマグネット５７がどの位置にあるのかを検知し、この信号をもとに電子回路を制御して、回転軸８３ａの周辺に配されるステータ５５に回転磁界を発生させ、高い回転性能と長寿命をもたせるようにしている。
そして、この回転テーブル装置８２がサブメカシャーシ８１を介してメカシャーシ８０に組み込まれてディスクドライブ装置３を構成している。
【００８９】
本例のディスクドライブ装置３によれば、ディスク２をガタなく把持して回転駆動することができ、ターンテーブル８４上の載置部８４ｂ-1，８４ｂ-1，・・・に圧入したおもり７９でロータ８３ｂの動的なバランスが保たれているので回転駆動における振動が大幅に低減できる。
【００９０】
本発明のディスクドライブ装置を実施するための最良の形態のほかの例を、図７を参照して説明する。
本例のディスクドライブ装置は、図７に示すように、上述の図２例のテーブル回転装置８２のターンテーブル８４の面８４ｂにおいて、おもり７９の載置部８４ｂ-1，８４ｂ-1，・・・の外側でガタ寄せ爪９６の反対側に、おもり７６の載置部８４ｂ-2を例えば３箇所新たに設ける。
【００９１】
このように構成したテーブル回転装置では、チャックベース８５ａの中心とスピンドルモータ８３の回転軸８３ａの中心を一致するように組立てたのち、ディスク２の装着に伴う動的なバランスのずれを、図７に示すように、新たに設けたおもり７６を載置部８４ｂ-2に装着して調整する。
これは、実際のディスク２のセンターホール２ａの径は、上述の仮想のセンターホール径より大きくなるため、ディスク２の重心は必ずスピンドルモータ８３の回転軸８３ａのガタ寄せ爪９６の側にずれることになる。このため、このディスク２の重心の回転軸８３ａに対するずれを解消するようにガタ寄せ爪９６の反対側（膨出部８５ａ-5，８５ａ-5が設けられている側）にバランスを取るためのおもり７６を装着する。
【００９２】
このようにすることによって、ディスク２を装着しているときの動的バランスの調整が容易に行えるようにできる。
そして、ディスク２の未装着のときは、動的なバランスが崩れていても、実際に記録又は再生するときであるディスク２を装着した状態で回転駆動での最適な動特性を得ることができる。
【００９３】
このように構成したディスクドライブ装置によれば、ディスク２は、ディスク２の重心が、常にガタ寄せ爪９６の中心を通る２つの膨出部８５ａ-5，８５ａ-5の垂直２等分線上で、スピンドルモータ８３の回転軸８３ａのガタ寄せ爪９６の側になるように把持され、このディスク２の重心ずれを見こして別のおもり７６が設けられ、回転軸８３ａ周りの載置部８４ｂ-1，８４ｂ-1・・・に適宜装着されるおもり７９との相補効果で、ディスク２を装着後の動的バランスを改善し、ディスク２の回転駆動による振動を大幅に低減できる。
【００９４】
なお、本例ではディスク２を係合爪９４とガタ寄せ爪９６により把持する例で説明したが、これに限らず、ターンテーブル８４と回転自在なディスク押えで挟むようにして、ディスク２を位置決めして保持する構成のテーブル回転装置にも適用できるのは勿論である。
また、本例では動的なバランス調整を、おもり７９を丸穴状の載置部８４ｂ-1に装着する例で説明したが、これによらず、ロータ８３ｂとステータ５５を組み立てた後にターンテーブルあるいはロータの一部を機械加工により切削してバランス調整してもよく、またおもりシートの貼り付けなどによって調整しても勿論よい。さらにまた、ターンテーブル８４のガタ寄せ爪９６の反対側部分に，ターンテーブル８４の一部を厚くするように偏肉部を設けたり、おもりを内蔵させることにより、ターンテーブル８４のダイナミックバランスを偏らせるようにしてもよい。この場合、動的バランス調整は、偏らせたおもりに釣り合うダミーのバランス調整用のおもりを予め用意し、これをターンテーブル８４のガタ寄せ爪９６の方に取り付けて調整する。そして、動的バランスを調整後、このバランス調整用のおもりを取り外せばよい。
【００９５】
さらに、複数の載置部８４ｂ-1，８４ｂ-1，・・・は、丸穴に限らず所定のおもりが装着できれば適宜の形状であってもよい。また、載置部８４ｂ-1を設ける箇所は、ディスク２のセンターホール２ａの周辺のクランピングエリアでフリクションシート８４ａによるディスク２の保持の妨げにならない限り、任意に配設でき、ターンテーブルの上面でも側面でもよい。
【００９６】
本発明のディスクチャック装置は、上述例に限ることなく本発明の要旨を逸脱することなく、その他種々の構成をとり得ることは勿論である。
【図面の簡単な説明】
【００９７】
【図１】本発明のテーブル回転装置の一例を示す断面図である。
【図２】本発明のテーブル回転装置の一例の斜視図である。
【図３】本発明のディスクチャック装置のチャックベース形状の、Ａはセンターホール径とのガタなし、Ｂはセンターホール径とのガタ大の説明図である。
【図４】本発明のガタ寄せ爪の一例を示し、Ａは前上方斜視図、Ｂは後上方斜視図、Ｃは側面図である。
【図５】テーブル回転装置へのバランスおもり装着での、Ａは従来の載置部なし、Ｂは本発明の載置部あり、ＣはＢでおもり装着後の説明図である。
【図６】本発明のテーブル回転装置のバランス調整の説明のフロー図である。
【図７】本発明のテーブル回転装置のほかの一例を示す外観斜視図である。
【図８】本発明のテーブル回転装置のディスク式撮像装置の外観斜視図である。
【図９】ディスク式撮像装置のディスク蓋を開いた状態の外観斜視図である。
【図１０】ディスク式撮像装置の表示装置を開いて背面側から見た外観斜視図である。
【図１１】ディスク式撮像装置を前後方向中途部で断面した説明図である。
【図１２】ディスク式撮像装置に係る仕切り壁とディスクドライブ装置との組立状態の平面図である。
【図１３】従来のテーブル回転装置の一例を示す断面図である。
【図１４】従来のディスクチャック装置の一例の斜視図である。
【図１５】本発明及び従来の係合爪の一例を示し、Ａは前上方斜視図、Ｂは後上方斜視図、Ｃは側面図である。
【図１６】従来のガタ寄せ爪の一例を示し、Ａは前上方斜視図、Ｂは後上方斜視図、Ｃは側面図である。
【符号の説明】
【００９８】
２・・・・ディスク、２ａ・・・・センターホール、７９・・・・おもり、８４・・・・ターンテーブル、８４ａ・・・・フリクションシート、８４ｂ-1・・・・載置部、９４・・・・係合爪、９６・・・・ガタ寄せ爪
【図１】
2005228375.tif 000003
【図２】
2005228375.tif 000004
【図３】
2005228375.tif 000005
【図４】
2005228375.tif 000006
【図５】
2005228375.tif 000007
【図６】
2005228375.tif 000008
【図７】
2005228375.tif 000009
【図８】
2005228375.tif 000010
【図９】
2005228375.tif 000011
【図１０】
2005228375.tif 000012
【図１１】
2005228375.tif 000013
【図１２】
2005228375.tif 000014
【図１３】
2005228375.tif 000015
【図１４】
2005228375.tif 000016
【図１５】
2005228375.tif 000017
【図１６】
2005228375.tif 000018